(57)【要約】  連続的もしくは非連続的な材料流れにおいてツール（１０４）をワークピース（１０２）に位置合わせするための方法およびシステムが開示される。ワークピースは、材料のウェブ（１１１０）の一部であってもよい。撮像システム（１１０、１２０、１２２）は、それぞれ第１および第２の時期においてワークピースの第１および第２の画像（２００）を取り込む。ワークピースの微小な固有の特徴（２０４、２０６）は、第１および第２の画像において選択、検知、探知、および／または比較される。第１および第２の画像において取り込まれた特徴の対応、探知、もしくは相対的変位（３０２、４０２、５０２、６０２、９０２）に基づき、ワークピースの位置合わせが制御される（１２４）。実施形態において、ワークピースとツール、またはリソグラフィもしくはフォトリソグラフィ装置（１４０２）によってワークピースに付加される投影画像もしくはパターンは、画像内の相関する特徴もしくはテクスチャの分析から判定される位置決め情報に基づいて位置合わせされる（１４１０〜１４２８）。位置決め情報は、位置決めエラーもしくは歪み（７０２、８０２）の表示を含んでもよい。
2014524038.tif 000002
【特許請求の範囲】
【請求項１】
ツールを位置合わせする方法であって、前記方法は、
撮像システムを使用してワークピースの第１の領域における複数の微小な固有の特徴の第１の拡大画像を取り込むステップを備え、前記ワークピースは第１の画像のための第１の位置に在り、前記方法はさらに、
前記撮像システムを使用して前記ワークピースの前記第１の領域における前記複数の微小な固有の特徴の第２の拡大画像を取り込むステップを備え、前記第１の拡大画像を取り込むステップと前記第２の拡大画像を取り込むステップとの間で時間期間が経過し、前記方法はさらに、
前記第１の画像において取り込まれた前記ワークピースの前記複数の微小な固有な特徴と前記第２の画像において取り込まれた前記ワークピースの前記複数の微小な固有の特徴との対応を判定するステップと、
前記第１の画像と前記第２の画像との前記対応を有する前記微小な固有の特徴を分析するための制御部を使用し、前記第２の画像に関する前記ワークピースの位置決め情報を判定するステップと、
前記第２の画像に関して判定された前記位置決め情報に基づいて前記ワークピースと前記ツールとを位置合わせするステップとを備える、方法。
【請求項２】
前記位置決め情報は、前記第２の画像と関連した前記ワークピースの位置決めエラーを含む、請求項１に記載の方法。
【請求項３】
前記第２の画像は、前記第１の画像よりも小さい倍率を有する、請求項１に記載の方法。
【請求項４】
前記第２の画像は、前記第１の画像よりも大きい倍率を有する、請求項１に記載の方法。
【請求項５】
前記撮像システムは、前記第１の画像を取り込む第１の撮像ユニットと、前記第２の画像を取り込む第２の撮像ユニットとを含む、請求項１に記載の方法。
【請求項６】
第１の時期において前記第１の画像を含む前記ワークピースの第１の複数の拡大画像を取り込むステップと、第２の時期において前記第２の画像を含む前記ワークピースの第２の複数の拡大画像を取り込むステップとをさらに備える、請求項１に記載の方法。
【請求項７】
前記位置決め情報は、変位エラー、回転エラー、および縮尺変化のうち少なくとも１つを含む、請求項１に記載の方法。
【請求項８】
前記ワークピースの前記位置決め情報は、前記ワークピースの前記複数の微小な固有の特徴のうちの第１の特徴の第１の位置決めエラーと、前記ワークピースの前記複数の微小な固有の特徴のうちの第２の特徴の第２の位置決めエラーとを少なくとも含む、請求項１に記載の方法。
【請求項９】
前記対応を判定するステップおよび前記位置決め情報を判定するステップのうち少なくとも１つは、前記第１の画像および前記第２の画像にパターンマッチングを適用するステップを含む、請求項１に記載の方法。
【請求項１０】
前記ワークピースは、前記第２の画像のために前記第１の位置に在る、請求項１に記載の方法。
【請求項１１】
前記ワークピースは、前記第２の画像のために第２の位置に在る、請求項１に記載の方法。
【請求項１２】
搬送機構を使用して前記ワークピースを前記第１の位置から前記第２の位置に移動させるステップをさらに備える、請求項１１に記載の方法。
【請求項１３】
連続的な材料流れを有する搬送機構を使用して前記ワークピースを前記第１の位置から前記第２の位置を通って少なくとも第３の位置に連続的に移動させるステップをさらに備える、請求項１１に記載の方法。
【請求項１４】
前記ツールはリソグラフィ装置であり、前記ワークピースと前記ツールとを位置合わせするステップは、前記ワークピースと前記リソグラフィ装置によって前記ワークピースに付加されるパターンとを位置合わせするステップを含む、請求項１に記載の方法。
【請求項１５】
前記ワークピースは、前記第２の画像のために第２の位置に在り、
前記ワークピースは、前記パターンが前記ワークピースに付加される前記第２の位置に在る、請求項１４に記載の方法。
【請求項１６】
前記ワークピースの少なくとも一部は、前記ワークピースに前記パターンが付加される第３の位置に在り、前記ワークピースおよび前記パターンは、前記ワークピースの少なくとも一部が前記第２の画像のための前記第２の位置に在る状態で判定される前記位置決め情報の外挿法に基づいて位置合わせされる、請求項１４に記載の方法。
【請求項１７】
前記ワークピースは、前記第１の領域と第２の領域とを含み、
前記位置決め情報は、前記第２の画像のための第２の位置に前記第１の領域が在る状態で前記ワークピースの前記第１の領域に関して判定され、
前記位置決め情報の内挿法に基づき、前記パターンは、前記ワークピースの前記第２の領域に付加され、前記ワークピースの前記第２の領域は、前記第１の位置と前記第２の位置との中間の第４の位置に在る、請求項１４に記載の方法。
【請求項１８】
前記ワークピースは、前記第１の領域を有する第１の物品と、前記第２の領域を有する第２の物品とを含み、
前記位置決め情報は、前記第１の物品の前記第１の領域に関して判定され、
前記パターンは、前記第２の物品の前記第２の領域に付加される、請求項１７に記載の方法。
【請求項１９】
前記ワークピースと前記ワークピースに付加される前記パターンとを位置合わせするステップは、前記ワークピースの横位置決めを調整するステップを含む、請求項１４に記載の方法。
【請求項２０】
前記リソグラフィ装置は、前記ワークピースに前記パターンを付加する投影光学ユニットを有するフォトリソグラフィ装置であり、
前記ワークピースと前記パターンとを位置合わせするステップは、前記位置決め情報によって示される位置決めエラーを補うために前記投影光学ユニットを使用して露光の時期を調整するステップを含む、請求項１４に記載の方法。
【請求項２１】
前記リソグラフィ装置は、投影光学ユニットを有するフォトリソグラフィ装置であり、
前記ワークピースと前記ワークピースに付加される前記パターンとを位置合わせするステップは、前記光学ユニットの照準を調整するステップを含む、請求項１４に記載の方法。
【請求項２２】
前記リソグラフィ装置は、前記ワークピースに前記パターンを付加する空間光変調器を有するフォトリソグラフィ装置であり、
前記ワークピースと前記パターンとを位置合わせするステップは、前記位置決め情報によって示される位置決めエラーを補うために前記フォトリソグラフィ装置における前記空間光変調器のデータセットを調整するステップを含む、請求項１４に記載の方法。
【請求項２３】
前記位置決め情報は前記ワークピースの歪みを示し、
前記データセットを調整するステップは、前記ワークピースの前記歪みを補う、請求項２２に記載の方法。
【請求項２４】
位置合わせシステムであって、
ワークピースが第１の位置に在る状態で前記ワークピースの領域の第１の画像を取り込み、その後に前記ワークピースの前記領域の第２の画像を取り込むように配置された撮像システムと、
前記第１の画像および前記第２の画像における前記ワークピースの特有の微視的に視認可能なテクスチャを比較し、そこから位置決め情報を生成するように構成されたパターン認識ユニットとを備え、
前記位置合わせシステムは、ツールと前記ワークピースとの位置合わせに前記位置決め情報を使用する、位置合わせシステム。
【請求項２５】
前記ワークピースは前記第２の画像のために前記第１の位置に在る、請求項２４に記載の位置合わせシステム。
【請求項２６】
前記ワークピースは、前記第１の画像が取り込まれた後に前記第１の位置から取り除かれ、前記第２の画像が取り込まれる前に前記第１の位置において置き換えられる、請求項２５に記載の位置合わせシステム。
【請求項２７】
前記ワークピースは、前記第１の画像が取り込まれた後、および前記第２の画像が取り込まれる前に、追加の処理を受ける、請求項２５に記載の位置合わせシステム。
【請求項２８】
前記ワークピースは、前記第２の画像のために第２の位置に在る、請求項２４に記載の位置合わせシステム。
【請求項２９】
搬送機構をさらに備える、請求項２４に記載の位置合わせシステム。
【請求項３０】
前記搬送機構は、ロボット操作部を含む、請求項２９に記載の位置合わせシステム。
【請求項３１】
前記ワークピースを、前記搬送機構により、前記第１の位置から少なくとも前記第２の位置を通って連続的に移動させる、請求項２９に記載の位置合わせシステム。
【請求項３２】
前記ワークピースは、材料のウェブの一部であり、
前記材料のウェブは前記搬送機構によって移動する、請求項２９に記載の位置合わせシステム。
【請求項３３】
前記撮像システムは、前記第１の画像を取り込むための第１の撮像ユニットと、前記第２の画像を取り込むための第２の撮像ユニットとを含む、請求項２４に記載の位置合わせシステム。
【請求項３４】
前記撮像システムは、前記第１の画像を取り込むために前記第１の位置に向けられる第１のストロボカメラと、前記第２の画像を取り込むために第２の位置に向けられる第２のストロボカメラとを含む、請求項２４に記載の位置合わせシステム。
【請求項３５】
前記撮像システムは、前記ワークピースが前記第１の位置に在る状態で前記ワークピースの画像を取り込むように配置された少なくとも２つの撮像ユニットを含む、請求項２４に記載の位置合わせシステム。
【請求項３６】
前記撮像システムは、前記ワークピースが第２の位置に在る状態で前記ワークピースの画像を取り込むように配置される少なくとも２つの撮像ユニットを含む、請求項２４に記載の位置合わせシステム。
【請求項３７】
前記ツールは、フォトリソグラフィ装置であり、パターンは、マスクもしくは空間光変調器から前記ワークピースに投影される、請求項２４に記載の位置合わせシステム。
【発明の詳細な説明】
【技術分野】
【０００１】
技術分野
本発明の分野は、概して位置合わせシステムに関し、より具体的にはリソグラフィおよび他のツールをベースとしたシステムにおける位置合わせに関する。
【背景技術】
【０００２】
背景
様々なシステムおよび処理においては、ツールとワークピースとを位置合わせすることにより、ツールを用いてワークピースを処理することが可能になる。ワークピースとツールとの正確な位置合わせには、位置合わせシステムが多くの場合に使用される。位置合わせには、ワークピース、ツール、またはこれら両方の移動が伴い得る。
【０００３】
位置合わせシステムを適用可能なシステムおよび処理の例としては、リソグラフィ、フォトリソグラフィ、レーザーエッチング、プリント回路基板のマスキング、プリント回路基板の穿孔、フレキシブル回路基板の製造、微細機械加工、精密組立、ロボティクス、コンピュータを使用した製造、ならびに他の印刷および製造作業が含まれる。
【０００４】
フォトリソグラフィシステムにおいては、プリント回路基板もしくは半導体ウエハなどのワークピースと、投影光学ユニットなどのフォトリソグラフィ装置との正確な位置合わせが必要となる。プリント回路基板の製造および半導体ウエハの処理は、基板に付加されるパターンを各層が有する複数の層を伴い得ることから、露光画像を基板に投影する各パターニングステップの前に、投影光学ユニットに対してそれぞれの基板が正確に位置合わせされる。基板とパターンとを適切に位置合わせしなければ、基板上のパターンが正しく位置合わせされず、多くの場合、低い信頼性が原因で再加工、部品の廃棄、または現場故障を招くこととなる。
【０００５】
既知のフォトリソグラフィシステムにおける正確な位置合わせには、ターゲット位置合わせパターンが使用される。ターゲット位置合わせパターンは、時に位置合わせレチクルと呼ぶこともあり、マスキングステップにおいて基板上に堆積される。後続のパターン層がアディティブ法で加えられる、もしくはサブトラクティブ法でエッチングにより取り除かれる、またはこれらの組み合わせである後続のマスキングステップは、前に堆積されたターゲット位置合わせパターンへの位置合わせに依存し、さらなる位置合わせパターンを加え得る。品質制御チェックは、多くの場合、複数の層からなるこのような堆積されたターゲットパターンの相対的な位置合わせについての目視検査または自動検査を含む。
【０００６】
特定の処理に関しては、ローラーに巻かれ得る連続的なウェブである材料上で行うのが望ましい。このような処理の例としては、連続的なロールからの紙への新聞、雑誌、本、パッケージ、および他の物品の印刷、ならびにフレキシブルプリント回路基板などのフレキシブル基板の印刷が含まれる。
【０００７】
「ウェブの上にパターンを形成する方法（METHOD FOR REGISTERING PATTERNS ON A WEB）」と題されたＢｒｏｓｔらの米国特許第７，６５０，８３９号は、第１のローラーおよび第２のローラーに巻かれたウェブの上にパターンを形成する方法を記載している。ウェブに加えられるパターンの形成は、測定され、エラー信号を提供する。エラー信号は、横方向および縦方向の位置エラー、ならびに横方向および縦方向の縮尺エラーを制御するために使用される。別個の横方向および縦方向の縮尺を制御することにより、非線形の歪みが回避される。インクジェットプリントヘッド、リソグラフィ装置、フレキソ印刷装置、スクリーン印刷装置、または放射エネルギービームパターニング装置などの既知のパターニング装置によって加えられるパターンは、２つのカメラまたは他のセンサによって検知される。縮尺制御は、ウェブの温度またはウェブの引張を変化させることによって実施される。処理ハードウェアの横位置を調整することによって横位置エラーを制御することができ、タイミングを調整することによって縦位置エラーを制御することができる。
【０００８】
「リソグラフィシステムおよび装置の製造方法（LITHOGRAPHY SYSTEM AND METHOD FOR DEVICE MANUFACTURE）」と題されたＭｅｉｓｂｕｒｇｅｒの米国特許第６，７５３，９４７号は、リソグラフィシステムに使用される連続的な移動台を開示している。メトロロジ装置は、ワークピース台の位置を測定する。位置合わせシステムは、ワークピース上に前に堆積されたマスクパターンに投影レンズを介して投影されるマスク画像の位置合わせを行う。歪んだグリッドは、残りの照射野の位置を予測するために複数の照射野位置に最良適合され、ＸＹ方向の倍率、傾斜、およびＸＹ方向の要部の違いを考慮に入れる。ワークピースは、ワークピース貯蔵ユニットから台に運ばれる。位置合わせマークが撮像され、位置が分析され、ずれが測定される。
【発明の概要】
【発明が解決しようとする課題】
【０００９】
位置合わせシステムの向上が求められている。特に、様々なワークピースもしくは連続的な材料の流れを伴う様々なシステムおよび処理に使用可能であり、処理ステップの少ない、もしくは加えられる材料の少ないツールとワークピースとの位置合わせに適用可能な、向上した位置合わせシステムが求められている。
【課題を解決するための手段】
【００１０】
概要
フォトリソグラフィおよびリソグラフィに使用可能であって様々なツールを伴う位置合わせシステムおよび方法は、ワークピースの微小な固有の特徴を利用してツールをワークピースに位置合わせする。特徴は２回の時期に撮像され、システムは画像からの結果を使用してツールとワークピースとを位置合わせする。２回の時期の間に、ワークピースは、第１の位置に残ってもよい、または第１の位置から移動されて貯蔵もしくはさらなる処理の後に第１の位置に戻されてもよい、または第２の位置に移動されてもよい。連続的な材料の流れを有する実施形態において、ワークピースは、第２の位置に向かって通過するように連続的に移動させられる。リソグラフィおよびフォトリソグラフィの実施形態において、パターンもしくは露光画像は、ワークピースもしくはその一部が第１の位置、第２の位置、第３の位置、もしくは第４の位置に在る状態でワークピースに付加される。内挿法または外挿法が使用されてもよい。ワークピースの変位、回転、歪み、または他の位置決めエラーを示し、位置決めエラーに対する位置合わせの修正を行ってもよい。
【００１１】
方法の第１の実施形態は、ワークピースに対するツールの位置合わせを制御する位置合わせの方法である。ワークピースが第１の位置に在る状態で、ワークピースの表面領域における複数の微小な固有の特徴が第１の時期に撮像システムによって検知される。複数の微小な固有の特徴のうちの少なくとも１つが選択される。第１の時期と第２の時期との間で時間が経過する。
【００１２】
第２の時期において、撮像システムは、ワークピースの表面領域における複数の微小な固有の特徴を検知する。選択された少なくとも１つの微小な固有の特徴は、第２の時期において制御部によって探知される。選択された少なくとも１つの微小な固有の特徴の探知に基づき、ワークピースに対するツールの位置合わせが制御される。
【００１３】
探知は、パターンマッチングまたは位置情報もしくは位置決めエラーの判定を含む。ワークピースに対するツールの位置合わせを制御することにより、ワークピースの予定された位置決めとワークピースの判定された位置決めとの間の差異が補われてもよい。
【００１４】
方法の第２の実施形態は、ツールを位置合わせする方法である。ワークピースは、複数の微小な固有の特徴を有する第１の領域を含む。複数の微小な固有の特徴の第１の拡大画像が撮像システムを使用して取り込まれる。第１の画像について、ワークピースは第１の位置に在る。
【００１５】
第１の拡大画像が取り込まれた後に時間期間が経過し、複数の微小な固有の特徴の第２の拡大画像が撮像システムを使用して取り込まれる。第１の画像および第２の画像において取り込まれたワークピースの複数の微小な固有の特徴の間で対応が判定される。
【００１６】
制御部は、第１の画像と第２の画像との間で対応する微小な固有の特徴を分析するために使用される。第２の画像と比較したワークピースの位置決め情報が判定される。位置決め情報に基づき、ワークピースとツールとの位置合わせが行われる。位置決め情報は、位置決めエラー、変位エラー、回転エラー、または縮尺変化を含んでもよい。
【００１７】
システムの第１の実施形態は、位置合わせシステムである。位置合わせシステムは、撮像システムとパターン認識ユニットとを含む。
【００１８】
撮像システムは、ワークピースが第１の位置に在る状態でワークピースの領域の第１の画像を取り込むように配置される。撮像システムは、ワークピースの領域の第２の画像を後に取り込むようにさらに配置される。
【００１９】
パターン認識ユニットは、第１の画像および第２の画像における微視的に視認可能なワークピースの特有のテクスチャを比較するように構成される。比較から、パターン認識ユニットは位置決め情報を生成する。位置合わせシステムは、ワークピースに対してツールを位置合わせする際に位置決め情報を用いる。
【００２０】
システムの第２の実施形態は、リソグラフィのための位置合わせシステムである。リソグラフィのための位置合わせシステムは、第１の高解像度撮像ユニットと、第２の高解像度撮像ユニットと、制御部とを含む。
【００２１】
第１の高解像度撮像ユニットは、ワークピースの領域の第１の画像を取り込むように構成される。第１の画像について、ワークピースは第１の位置に在る。
【００２２】
第２の高解像度撮像ユニットは、ワークピースの領域の第２の画像を取り込むように構成される。第２の画像は、第１の画像が取り込まれた後に取り込まれる。
【００２３】
制御部は、第１および第２の高解像度撮像ユニットと通信する。制御部は、リソグラフィ装置に接続可能であり、リソグラフィ装置とワークピースとの位置合わせを指示するように構成される。
【００２４】
制御部は、第１の画像および第２の画像における微視的に視認可能なワークピースの特有のテクスチャを分析する。画像内のテクスチャを分析することにより、制御部は第２の画像に関連したワークピースの位置決めエラーを判定する。位置決めエラーの判定に応答し、制御部は、リソグラフィ装置とワークピースとの位置合わせを指示する。
【００２５】
システムの第３の実施形態は、フォトリソグラフィシステムである。フォトリソグラフィシステムは、搬送機構と、マシンビジョンシステムと、投影光学系とを有する。
【００２６】
搬送機構は、材料のウェブを移動させるように構成される。材料のウェブの上の領域は、第１の位置から第２の位置を通って第３の位置に移動する。
【００２７】
マシンビジョンシステムは、第１の位置において領域を極めて詳細に撮像するように構成される。マシンビジョンは、搬送機構によって第２の位置に移動させられた領域を第２の位置において極めて詳細に撮像するようにさらに構成される。変形例において、領域は第２の位置で停止する、または連続的に第２の位置を通過して移動する。
【００２８】
投影光学系は、材料のウェブの上に投影される画像を置くように構成される。投影画像は、材料のウェブの上において第２の位置、第３の位置、または第１の位置と第２の位置との間にある第４の位置に置かれる。
【００２９】
第１の位置および第２の位置で撮像された材料のウェブの上の領域は、微視的に視認可能な領域の特有のテクスチャに属する特徴を有する。投影光学系、搬送機構、およびマシンビジョンシステムは、第１および第２の位置で撮像された領域中のテクスチャの相関する特徴の相対的変位を分析することにより、材料のウェブの上の投影画像と領域とを位置合わせするように協働する。ウェブの歪みは、相関する特徴の相対的変位を分析することによって判定されてもよく、投影画像を修正するために歪みマッピングが適用される。
【図面の簡単な説明】
【００３０】
【図１】位置合わせシステムと連動する複数の位置にワークピースが示される、本発明に係る位置合わせシステムを示す斜視図である。
【図２】ワークピースが第１の位置に在る第１の時期に図１の位置合わせシステムによって取り込まれる、ワークピースの領域の第１の画像を示す図である。
【図３】図２の第１の取り込み画像に続いて第２の時期に図１の位置合わせシステムによって取り込まれるワークピースの領域の第２の画像の第１の例であって、ワークピースが回転した状態を示す図である。
【図４】図２の第１の取り込み画像に続いて第２の時期に図１の位置合わせシステムによって取り込まれるワークピースの領域の第２の画像の第２の例であって、前方向へのワークピースの横変位を示す図である。
【図５】図２の第１の取り込み画像に続いて第２の時期に図１の位置合わせシステムによって取り込まれるワークピースの領域の第２の画像の第３の例であって、横方向へのワークピースの横変位を示す図である。
【図６】図２の第１の取り込み画像に続いて第２の時期に図１の位置合わせシステムによって取り込まれるワークピースの領域の第２の画像の第４の例であって、斜め方向へのワークピースの横変位を示す図である。
【図７】図２の第１の取り込み画像に続いて第２の時期に図１の位置合わせシステムによって取り込まれるワークピースの領域の第２の画像の第５の例であって、膨張によるワークピースの歪みを示す図である。
【図８】図２の第１の取り込み画像に続いて第２の時期に図１の位置合わせシステムによって取り込まれるワークピースの領域の第２の画像の第６の例であって、収縮によるワークピースの歪みを示す図である。
【図９】図２の第１の取り込み画像に続いて第２の時期に図１の位置合わせシステムによって取り込まれたワークピースの領域の第２の画像の第７の例であって、複数の要因によるワークピースの歪みを示す図である。
【図１０】ワークピースを移動させる台を使用する図１の位置合わせシステムの変形例を示す斜視図である。
【図１１】一部が図１の位置合わせシステムまたはその変形例に適したワークピースである材料の連続的なウェブを示す斜視図である。
【図１２】図１の位置合わせシステムまたはその変形例に適した延在するワークピースまたは二部ワークピース、およびそのようなシステムの一部を示す斜視図である。
【図１３】図１の位置合わせシステムおよびその変形例に適した撮像システムの変形例を示す斜視図である。
【図１４】ワークピースと位置合わせされるツールとして図１の位置合わせシステムまたはその変形例における使用、またはそれと併せた使用に適した、ワークピースに露光画像を投影するフォトリソグラフィ装置を示す斜視図である。
【図１５Ａ】図１の位置合わせシステムまたはその変形例との使用に適した位置合わせの方法を示すフロー図である。
【図１５Ｂ】図１５Ａの方法および図１の位置合わせシステムもしくはその変形例との使用に適した連続的な材料流れの方法を示すフロー図である。
【図１６Ａ】リソグラフィ装置において図１の位置合わせシステムまたはその変形例との使用に適した位置合わせのさらなる方法を示すフロー図である。
【図１６Ｂ】図１６Ａの方法および図１の位置合わせシステムもしくはその変形例との使用に適した連続的な材料流れの方法を示すフロー図である。
【図１７】図１５Ａおよび図１６Ａの方法ならびに図１の位置合わせシステムもしくはその変形例に適した、第１の時期でのワークピースの第１の画像の取り込み動作を示す斜視図である。
【図１８】図１５Ａおよび図１６Ａの方法ならびに図１の位置合わせシステムもしくはその変形例に適した、ワークピースの第２の画像を取り込む動作を示す斜視図である。
【図１９】位置決めエラーもしくは歪みを補い、図１の位置合わせシステムもしくはその変形例との使用に適した空間光変調器を示す斜視図である。
【発明を実施するための形態】
【００３１】
詳細な説明
図１を参照すると、連続的な材料流れを有する実施形態に適用された本発明に係る位置合わせシステム１００が示される。位置合わせシステム１００は、連続的もしくは非連続的な材料流れに適している。位置合わせシステム１００の様々な実施形態は、第１の位置もしくは基準位置から停止せずに第２の位置に向かって通過するように連続的に移動する物品、第１の位置から移動して第２の位置で停止する物品、第１の位置に残る物品、または保存もしくは他の場所でのさらなる処理のために第１の位置から取り除かれ、第１の位置に戻される物品の位置合わせを維持する。位置合わせシステム１００の実施形態は、印刷、半導体処理および回路基板処理、ならびにコンピュータを使用した製造、または物品の正確な位置合わせを必要とする他の処理を目的とするリソグラフィおよびフォトリソグラフィに適用可能である。
【００３２】
位置合わせシステム１００の様々な実施形態において、第１および第２の位置は、システムの異なる書き込み領域もしくは処理領域に対応し得る。物品が第１の位置もしくは基準位置に在る間、カメラもしくはスキャナなどの１つ以上の第１の高解像度撮像ユニットの各々は、物品の特定領域の画像の第１のセットを第１の時期で取り込む。物品が第１の位置に在る状態、または物品が第２の位置に移動した時など、第２の時期では、１つ以上の第２の高解像度撮像ユニットの各々は、第１の時期で第１の位置もしくは基準位置において取り込まれた１つ以上の画像にほぼ対応する物品の特定領域の画像の第２のセットを取り込む。たとえば、物品の移動に伴い、複数セットのストロボカメラを使用して第１および第２の位置のそれぞれにおいて画像を取り込むことができる。ソフトウェア、ファームウェア、および／またはハードウェアを含み得る撮像分析手段は、画像中に取り込まれた物品の固有のテクスチャ、木目、粒状性、または他の特有の特徴を分析する。第１の位置もしくは基準位置において第１の時期で取得された１つ以上の画像は、第２の時期で取得された１つ以上の画像と比較され、第２の画像と比較した物品の位置決めエラーが判定される。このため、第２の画像と比較した物品の位置決めエラーは、第２の画像の取り込み時の物品の位置に関連したものとなる。位置決めエラーの計算は、変位エラー（たとえば、ＸＹ方向の位置決め）、回転エラー（たとえば、角度の位置決め）、および物品の膨張もしくは収縮による縮尺の変化を含むことができる。位置決めエラーの計算は、物品の位置間移動のサーボ制御のための基礎として使用することができ、システムの書き込み手段によって使用されるデータの位置的変換のための基礎としても使用することができる。物品は材料の連続的なウェブの一部とすることができる、および／または物品は中間動作時に行われる処理などを受けることができる。
【００３３】
図１に示される実施形態において、位置合わせシステム１００は、ツール１０４とワークピース１０２とを位置合わせする。ワークピース１０２は、矢印１１２が指す第１の位置から矢印１１６が指す第２の位置を通って少なくとも矢印１１８が指す第３の位置に搬送機構１０６によって連続的に移動する。第１の位置と第２の位置との中間は、矢印１１４が指す第４の位置である。撮像システム１１０は、ワークピースが第１の時期に第１の位置に在る場合に、およびワークピースが第２の時期に第２の位置に在る場合にワークピース１０２の画像を取り込む。取り込み画像において視認可能なワークピースの微小な固有の特徴を制御部１２４を使用して分析し、位置合わせシステム１００は位置決めエラー情報および／または位置決め情報を導き出し、ツール１０４とワークピース１０２とを位置合わせする。
【００３４】
様々な実施形態において、位置合わせシステム１００は、搬送機構１０６もしくはその変形例の通信およびツール１０４との通信を行う単独型システムである。または、位置合わせシステム１００は、搬送機構１０６と一体化されて、ツール１０４と通信する。または、位置合わせシステム１００は、ツール１０４と一体化されて、搬送機構１０６と通信する。または、位置合わせシステム１００と、ツール１０４と、搬送機構１０６とは、システムとして一体となっている。位置合わせシステム１００を使用するワークピース１０２との位置合わせに適したツールは、スタンピング、機械加工、およびペイントもしくはインクベースのリソグラフィなどの機械ツール、フォトリソグラフィ露光システム、レーザーエッチング、およびレーザー加工などの光学ツール、ならびに当業者によって特定もしくは考案され得る他のツールを含む。
【００３５】
位置合わせシステム１００を使用するツール１０４との位置合わせに適したワークピースは、処理の様々な段階におけるプリント回路基板材料などの基板、紙、厚紙、様々なプラスチックおよび金属などからなる印刷媒体、個別の物品、ならびに様々な大きさや縦横比を有する材料のロール、材料のウェブ、もしくは材料のシートなどの延在もしくは連続した物品の一部を含む。平坦かつ矩形のワークピース１０２が図１に示されているが、他の二次元形状および三次元形状を有するワークピースが位置合わせシステム１００との使用に適している。撮像システム１１０によって撮像される領域は、図１に示される領域１２６より大きくても小さくてもよく、規則的もしくは不規則に成形され、隣接もしくは非隣接したものであってもよい。
【００３６】
撮像システム１１０は、ワークピースが第１の時期で第１の位置に在る状態でワークピース１０２の領域１２６の第１の画像を取り込み、ワークピース１０２が第２の時期で第２の位置に在る状態で領域１２６の第２の画像を取り込むように配置される。図１に示される実施形態において、撮像システム１１０は、矢印１１２が指す第１の位置に向けられた、適切な光学系を有する高解像度カメラなどの第１の撮像ユニット１２０を有する。撮像システム１１０は、矢印１１６が指す第２の位置に向けられた、適切な光学系を有する高解像度カメラなどの第２の撮像ユニット１２２を有する。撮像システム１１０の変形例は、第１の位置に向けられた２つ以上のカメラおよび／もしくは第２の位置に向けられた２つ以上のカメラ、１つ以上の再位置決め可能なカメラ、またはカメラの視野を変更もしくは選定するためのミラーもしくはレンズを有する。照明は示されないが、容易に考案される。取り付けハードウェアは示されないが、容易に考案される。ワークピース１０２に対して直交する視線を有する第１の撮像ユニット１２０および第２の撮像ユニット１２２が図１に示されているが、他の取り付け角度および／または視線を採用してもよい。変形例において、第２の撮像ユニット１２２は、第１の撮像ユニット１２０よりも小さい倍率もしくは大きい倍率を有し、対応する小さい倍率もしくは大きい倍率で画像を取り込む。一般に、倍率を小さくすると位置決めにおける大きなエラーを探知するのに有用であり、倍率を大きくすると位置決めにおける小さなエラーを探知するのに有用である。撮像ユニットおよび撮像システムのための較正技術は容易に考案され、較正データは容易に位置決めおよびエラー判定に導入される。
【００３７】
図２から図９は、ワークピース１０２の領域１２６の様々な取り込み画像を示す。画像は、位置合わせシステム１００による分析のために、微視的に視認可能なワークピース１０２の特有のテクスチャ、木目、粒状性、もしくは他の特有の特徴についての詳細を取り込む。取り込み画像において視認可能な固有の特徴のサブセットを識別、選択、および探知することにより、位置合わせシステム１００は、ワークピース１０２についての位置決め情報を導き出すことができる。位置決め情報は、それぞれの取り込み時において画像に取り込まれるワークピース１０２の領域１２６に関連したものとなる。ワークピースが第１の位置に残る、または第１の位置に戻される実施形態において、位置決め情報は、第１の位置に関連したものとなる。ワークピースが第１の位置から第２の位置に移動される実施形態において、位置決め情報は、第１の位置および第２の位置に関連したものとなる。座標システム同士の変換、および静止座標系と移動座標系との変換は、容易に考案される。
【００３８】
変形例において、微視的に視認可能なテクスチャ、木目、粒状性、または他の固有の特徴は、画像に取り込まれ、分析に使用することができる。さらなる変形例において、微小な、もしくは微視的に視認可能なテクスチャ、木目、粒状性、または他の固有の特徴は、従来の方法で堆積される位置合わせターゲットと併せて画像に取り込むことができ、この組み合わせは、粗い位置合わせおよび微細な位置合わせにおける分析に使用される。
【００３９】
図２に示されるように、ワークピース１０２が第１の時期で第１の位置に在る状態で撮像システム１１０によって取り込まれる第１の画像２００は、画像の視界内のワークピース１０２の領域１２６において視認可能なワークピース１０２の複数の固有の特徴を有する。たとえば、第１の画像２００において視認可能な複数の固有の特徴の中に第１の固有の特徴２０４および第２の固有の特徴２０６がある。第１の画像２００は、第１の位置および第１の時期と関連したワークピース１０２の基準位置決めを確立する。
【００４０】
ワークピースが第１の位置から第２の位置を通過すると、ワークピース１０２に様々な要因が作用し得る。製作公差、機構の摩耗および断裂、複数のサブシステムにおける加工の位置合わせ交差、搬送機構１０６における熱膨張もしくは熱収縮、およびシステムのセットアップもしくはメンテナンスの精度調整などがワークピース１０２の位置決めに影響を与える。ワークピース１０２自体の熱膨張もしくは熱収縮、または中間ステップでのさらなる処理の結果として起こるワークピース１０２の相対的変化が、ワークピースの位置決めにさらに影響を与える。
【００４１】
図３から図９に示されるように、第２の時期で撮像システム１１０によって取り込まれる第２の画像３００、４００、５００、６００、７００、８００、および９００は、画像の視界内におけるワークピース１０２の領域１２６において視認可能なワークピース１０２の複数の固有の特徴を有する。第１の位置から第２の位置に移動するワークピース１０２を有する実施形態において、第２の位置でワークピースと実質的に完全に位置合わせされるワークピース１０２は、第１の位置から第２の位置で撮像システム１１０の特徴および能力が実質的に完全に複製されたと仮定すると、第２の画像が第１の画像２００の実質的に正確な複製となる。しかしながら、第２の画像の様々な例に見られるように、第１の画像から第２の画像への固有の特徴の相対的な位置決めの変化として、ワークピース１０２の位置決めの変位が第２の画像に見られる。第１の画像２００において視認可能な全ての特徴は、必ずしも第２の画像において視認可能となるわけではない。
【００４２】
図３を参照すると、第２の画像３００の第１の例においてワークピースの固有の特徴に時計回りの回転が見られることから、ワークピース１０２は時計回りの方向３０２に回転している。第２の画像３００の第１の例に見られるように、第１の固有の特徴３０４および第２の固有の特徴３０６は、第１の画像２００における対応する位置決めと比較して変位している。
【００４３】
図４を参照すると、第２の画像４００の第２の例においてワークピースの固有の特徴に右方向の移動が見られることから、ワークピース１０２は（図面の配向に対して）右方向４０２に移動している。第２の画像４００の第２の例に見られるように、第１の固有の特徴４０４および第２の固有の特徴４０６は、第１の画像２００における対応する位置決めと比較して変位している。
【００４４】
図５を参照すると、第２の画像５００の第３の例においてワークピースの固有の特徴に下方向の移動が見られることから、ワークピース１０２は（図面の配向に対して）下方向５０２に移動している。第２の画像５００の第３の例に見られるように、第１の固有の特徴５０４および第２の固有の特徴５０６は、第１の画像２００における対応する位置決めと比較して変位している。
【００４５】
図６を参照すると、第２の画像６００の第４の例においてワークピースの固有の特徴に右斜め下方向への移動が見られることから、ワークピース１０２は（図面の配向に対して）右斜め下方向５０２に移動している。第２の画像６００の第４の例に見られるように、第１の固有の特徴６０４および第２の固有の特徴６０６は、第１の画像２００における対応する位置決めと比較して変位している。
【００４６】
図７を参照すると、第２の画像７００の第５の例においてワークピースの固有の特徴に広がりが見られることから、ワークピース１０２は拡張方向７０２に均一に拡張している。第２の画像７００の第５の例に見られるように、第１の固有の特徴７０４および第２の固有の特徴７０６は、第１の画像２００における対応する位置決めと比較して変位している。
【００４７】
図８を参照すると、第２の画像８００の第６の例においてワークピースの固有の特徴に相互に近接する移動が見られることから、ワークピース１０２は収縮方向８０２に均一に収縮している。第２の画像８００の第６の例に見られるように、第１の固有の特徴８０４および第２の固有の特徴８０６は、第１の画像２００における対応する位置決めと比較して変位している。
【００４８】
図９を参照すると、ワークピース１０２には複数の歪みが生じている。固有の特徴には、それぞれ様々な方向に個別の変位が生じている。明瞭化のため、矢印９０２は変位方向を示し、固有の特徴は図中に示されていない。複数の固有の特徴を探知することにより、位置合わせシステム１００は複雑な歪みを示す位置決め情報を生成することができる。
【００４９】
図１に戻り、制御部１２４は、複数の微小な固有の特徴の少なくとも１つについての探知に基づいて、ワークピースに対する位置合わせを制御する。ここで使用される制御部は、処理を制御する装置もしくは装置の一部として広く定義される。制御部１２４による制御を適用可能な処理は、撮像、処理、分析、認識、選択、探知、判定、計算、データ提供、アルゴリズムの実行、制御、位置合わせ、および実施形態に適切な他の処理を含む。制御部１２４は、ハードウェア、ソフトウェア、ファームウェア、もしくはこれらの組み合わせによって実施されてもよい。様々な実施形態において、制御部１２４は、画像システム、マシンビジョンシステム、パターン認識システム、パターン認識部、探知システム、探知部、またはコンピュータを利用した製造（ＣＡＭ）システムを含んでもよい、またはその一部であってもよく、市場で入手可能な特定の制御部、処理部、マイクロプロセッサ、もしくはマイクロコントローラであること、またはそれを含むことに限定されない。様々な実施形態において、ワークピースに対する位置合わせの制御に関し、制御部１２４は、直接的にツールを制御する、ツールとワークピースとの位置合わせを指示する、および／または位置合わせシステムから独立した自己移動ツールもしくはツールシステムによって使用されるデータを提供する。他の組み合わせおよび変形例が考案されてもよい。
【００５０】
第１の実施形態において、制御部１２４は、第１および第２の画像中のワークピース１０２の微視的に視認可能な固有のテクスチャを比較するように構成されるパターン識別ユニットを含み、パターンユニットは、そこから位置決め情報を生成する。ある変形例において、制御部１２４は、ワークピースに対するツールの位置合わせに位置決め情報を採用する。さらなる変形例において、制御部１２４は、ツールまたはツールを操作するさらなる装置に対して位置決め情報を通信し、ツールおよび装置はワークピースに対してツールを位置合わせする。このため、位置合わせシステムは、ワークピースに対するツールの位置合わせに位置決め情報を用いる。
【００５１】
第２の実施形態において、制御部１２４は、撮像システム１１０と通信し、リソグラフィ装置などのツールに接続可能である、または接続される。制御部１２４は、第２の画像と比較したワークピースの位置決めエラーの判定に応答してツールとワークピースとの位置合わせを指示するように構成される。制御部１２４は、第１および第２の画像におけるワークピースの特有の微視的に視認可能なテクスチャを分析する。
【００５２】
第３の実施形態において、制御部１２４は、ワークピース１０２の領域１２６が第１の位置に在る状態、およびその後にワークピース１０２の領域１２６が第２の位置に在る状態で微視的にワークピース１０２の領域１２６を撮像するように構成されたマシンビジョンシステムを含む。マシンビジョンシステムは、第１および第２の位置で撮像された領域の特有の微視的に視認可能なテクスチャに属する相関する特徴の相対的変位を分析することにより、ツールもしくはツールの特徴部とワークピース１０２の領域１２６とを位置合わせするように搬送機構１０６およびツール１０４と協働する。変形例において、ツールは投影光学系を有するフォトリソグラフィ装置であり、ワークピースと位置合わせされるツールの特徴部は投影画像である。
【００５３】
図１および図１０〜図１４は、位置合わせシステム１００における使用もしくはそれと併せた使用に適した搬送機構、ワークピース、ならびにワークピースと位置合わせされるツールの配置、用例、および位置の様々な例を示す。搬送機構は、手動、ロボット、または他の自動化された操作（たとえば、従来技術において公知のロボット操作部）を含むことができ、ツールと別個または一体にすることができる。ワークピースは、小型もしくは拡張型とすることができる。ワークピースの撮像された領域、およびツールと位置合わせされるワークピースの領域は、区別および分離させる、隣接させる、重複させる、または同一とすることができる。図１および図１０〜図１４の各々を参照して概要および詳細が以下に記載されるように、ツールとワークピースの領域との位置合わせは、ワークピースの範囲および撮像された領域と位置合わせされた領域との関係に応じて変化させ、第１の場合において領域が第２の位置に在る状態で行うことができる、第２の場合において領域が第３の位置に在る状態で行うことができる、および／または第３の場合において領域が第４の位置に在る状態で行うことができる。
【００５４】
第１の場合において、位置合わせされる領域が第２の位置に在る状態で、位置決め情報および／または位置決めエラーを位置合わせに直接的に適用することができ、位置合わせされる領域と撮像された領域との間のずれが調整される。
【００５５】
第２の場合において、位置合わせされる領域が第３の位置に在る状態で、位置決め情報および／または位置決めエラーを位置合わせに外挿および適用することができ、位置合わせされる領域と撮像された領域との間のずれがさらに調整される。位置決め情報および／または位置決めエラーの外挿法は、位置決めエラー傾向のモデル化に基づく位置決めエラーの予測であり、線形外挿法、近似曲線外挿法、経験ベースの外挿法、または当業者によって考案されるさらなるモデルもしくは技術に基づいた外挿法であってもよい。
【００５６】
第３の場合において、位置合わせされる領域が第１の位置と第２の位置との間の第４の位置に在る状態で、位置決め情報および／または位置決めエラーを位置合わせに内挿および適用することができ、位置合わせされる領域と撮像された領域との間のずれがさらに調整される。位置決め情報および／または位置決めエラーの内挿法は、位置決めエラー傾向のモデル化に基づく位置決めエラーの予測であり、線形内挿法、近似曲線内挿法、経験ベースの内挿法、または当業者によって考案されるさらなるモデルもしくは技術に基づいた内挿法であってもよい。
【００５７】
小型のワークピース、または撮像される領域に対して十分に近い、重複する、または同じとなるように位置合わせされる領域の選択は、位置決め情報が位置合わせに対して直接的に適用された状態で、上記の第２の場合のように位置合わせシステム１００を使用して行うことができる。延在したワークピース、ならびに互いに十分に間隔の空けられた位置合わせされる領域および撮像される領域の選択、または複数部品からなるワークピースは、上記の外挿法または内挿法の対象となる。直接的に適用された、外挿された、または内挿された位置決め情報の使用についての設計の決定は、状況に依存するものであり、位置合わせシステム１００は、用途に応じて使用することができる。外挿法または内挿法は、位置決め情報および／または位置決めエラーに適用される非ゼロまたはゼロの要因、量、もしくはベクトルをもたらし得て、要因、量、またはベクトルの大きさは、システム公差、位置合わせ公差、または要件もしくは設計や用途などの他の要因に依存してもよい。
【００５８】
ワークピース領域および搬送機構は、図１および図１０〜図１４を参照して以下で説明される。
【００５９】
図１に戻り、連続的な材料流れのための搬送機構１０６は、端ローラー１３２および１３４のまわりに巻かれる搬送ベルト１３０を有して示される。ワークピース１０２は、一方の位置から他方の位置に搬送機構１０６によって移動可能な個別の物品として図１に示される。ワークピース１０２の第１の領域１２６は、上記のように撮像システム１１０によって撮像され、ツール１０４はワークピース１０２の第２の領域１２８と位置合わせされる。第２の領域１２８は、第１の領域１２６から離れているものとして示される。変形例において、第２の領域１２８は第１の領域１２６に対してより近くてもよく、隣接してもよく、重複してもよく、または同じであってもよい。さらなる変形例において、第２の領域１２８は、図１に示されるよりも第１の領域１２６からより長い距離にあってもよい。領域の様々な変形例において、第１および第２の領域は隣り合わせとすることができ、ワークピース１０２が連続的に搬送機構１０６によって移動されることに伴い、第２の領域は第１の領域に続くことができる、または第１の領域は第２の領域に続くことができる。たとえば、ある配向において、第２の領域１２８は第１の領域１２６よりも先に第２の位置に到達して通過することができる。
【００６０】
図１０を参照すると、搬送機構１０６の変形例として、搬送機構の台１００４が示される。取り付け部、モーター、ギア、土台、収容部など、搬送機構１０６の変形例の他の詳細は示されないが、容易に考案される。台１００４は、台１００４およびワークピース１０２の第１の位置１０２０から、台１００４およびワークピース１０２の第２の位置１０２４（点線で示される）を通り、少なくとも台１００４およびワークピース１０２の第３の位置１０２６（点線で示される）に連続的に移動し、第１の位置と第３の位置との中間の第４の位置１０２２を通過する。
【００６１】
図１０に示されるツールとワークピースとの位置合わせ、およびツールとワークピースとの連動は、位置合わせシステム１００に適用可能であり、位置合わせシステム１００は、図１０に示されるような台を有する搬送機構などの図１の搬送機構１０６の変形例、ならびに上記の、および以下に記載する様々なタイプおよび形状のワークピースを含む。図１０において、撮像システム１１０についての詳細は示されないが、図１および変形例を参照して考案することができる。
【００６２】
図１を参照して記載したように、位置合わせシステム１００は、第２の画像の取り込み時のワークピースの位置に関してワークピースの位置決めエラーおよび／または位置決め情報を判定する。位置合わせシステムは、第２の画像と比較して判定された位置決めエラーおよび／または位置決め情報に基づいて、ツールもしくはツールの特徴部とワークピースとを位置合わせする。ツールもしくはツールの特徴部とワークピースとのこのような位置合わせは、１つ以上の位置で行うことができる。
【００６３】
図１０を参照すると、位置合わせのための位置について第１の場合では、ワークピース１０２は第２の位置１０２４に在る。ツール１００８またはツール１０１０は、第２の位置に関して判定された位置決めエラーおよび／または位置決め情報に直接的に基づいて、位置合わせシステム１００によって位置合わせされる。ツール１００８またはツール１０１０が、位置決めエラーを判定するために撮像された領域に対して一致する、または非常に近いワークピース１０２に適用されることから、位置決めエラーおよび／または位置決め情報は、直接的に使用することができる。
【００６４】
続けて図１０を参照すると、位置合わせのための位置について第２の場合では、ワークピース１０２は、第３の位置１０２６に在る。第２の位置に関して判定された位置決めエラーは、第３の位置に関して位置決めエラーを予測するために外挿され、第３の位置１０２６でのツール１０１２とワークピース１０２との位置合わせに適用される。
【００６５】
さらに図１０を参照すると、位置合わせのための位置について第３の場合では、いくつかの変形例が適用される。ワークピース１０２（図示）、ワークピースの領域、または複数部品からなるワークピースの物品は、第１の位置１０２０と第２の位置１０２４との中間の第４の位置１０２２に在る。さらなるワークピース、ワークピースのさらなる領域、または複数部品からなるワークピースのさらなる物品、および第２の位置１０２４に関して判定される位置決めエラーは、第４の位置１０２２に関して位置決めエラーを予測するために内挿され、第４の位置１０２２でのツール１００６とワークピース１０２もしくはその変形例との位置合わせに適用される。このため、この第３の場合における第１の変形例において、あるワークピースは、第２の位置に在る１つのワークピースを用いて判定された位置決めエラーを有し、さらなるワークピースは、第４の位置でさらなるワークピースと位置合わせされたツールを有する。この第３の場合における第２の変形例において、延在するワークピースは、第２の位置で撮像された領域と、第２の位置に在る領域に関して判定された位置決めエラーとを有する。延在ワークピースのさらなる領域は、第４の位置に在るさらなる領域と位置合わせされるツールを有する。この第３の場合における第３の変形例において、複数部品からなるワークピースは、第２の位置で撮像された第１の物品と、第２の位置に在る第１の物品に関して判定された位置決めエラーとを有する。複数部品からなるワークピースの第２の物品は、第４の位置で第２の物品と位置合わせされるツールを有する。
【００６６】
図１１を参照すると、位置合わせシステム１００もしくは変形例との使用に適したワークピース１１４０および搬送機構１１００の例が示される。ワークピース１１４０は、連続的な材料流れに乗っており、材料１１１０の連続的なウェブの一部である。開始ロール１１１２は、材料１１１０の連続的なウェブおよびその一部を供給または提供し、エンドロール１１１４は、材料１１１０の連続的なウェブおよびその一部を取り上げる、または巻き取る。搬送機構１１００のスプール、ギア、速度および／もしくは位置制御機構、ならびに他のサブシステムは示されないが、容易に考案される。変形例において、材料１１１０の連続的なウェブは、ピンチローラーを通って引き出され、分離したワークピースとしての分配もしくはさらなる処理のために部分に切り分けられる。
【００６７】
ワークピース１１４０が第１の位置１１０２のワークピースから移動することに伴い、ワークピースの第１の領域１１２０およびワークピース１１４０の第２の領域１１２２がワークピース１１４０の一部として動き、材料１１１０の連続的なウェブの屈曲、伸長、収縮、ならびに他の動きおよび歪みによって相対的な位置が変化する。また、ワークピース１１４０の第１の領域１１２０および第２の領域１１２２には、たとえば機構の摩耗、セットアップの不正確さ、調整、および製作公差など、上で概略的に記載した搬送機構のさらなる特徴の結果として相対的な位置変化が起こる。
【００６８】
上記の例と同様に、ワークピース１１４０は、第１の位置１１０２に在るワークピースから第２の位置１１０６に在るワークピースに向かって通過し、少なくとも第３の位置１１０８に在るワークピースを通って連続的に移動する。ワークピース１１４０の第１の領域１１２０は、第１の画像および第２の画像を取り込む撮像システム１１０（図１を参照、図１１には示されていない）により、ワークピースが第１の位置１１０２に在る状態で撮像され、ワークピースが第２の位置１１０６に在る状態でさらに撮像される。ワークピース１１４０の位置決めエラーは、第２の位置に関して、およびワークピース１１４０の第１の領域１１２０に関して判定される。少なくとも第１、第２、および第３の場合において、第２の位置に関して判定される位置決めエラーに基づいて、ツールはワークピースと位置合わせされる。
【００６９】
位置合わせの第１の場合において、ワークピース自体が第２の位置１１０６に在る状態で、ワークピースの第１の領域１１２８は第２の位置に在る。ワークピースの第２の領域１１３０は、第２の位置に在ると考えられ、位置決め情報は、第２の位置においてツール（図示せず）を第２の領域１１３０に位置合わせする際に直接的に使用される。代替的に、ワークピースが延在ワークピースであると考えられ、第２の領域１１３０が第１の領域１１２８に対して十分に近くないと考えられる場合、ワークピースの第２の領域１１３０は第１の位置と第２の位置との間の第４の位置に在ると考えられ、位置合わせの第３の場合にあるように、第４の位置でツール（図示せず）を第２の領域１１３０に位置合わせする際に位置決め情報の内挿法が使用される。
【００７０】
位置合わせの第２の場合において、ワークピースの第２の領域１１３４は第３の位置に在る。２つの変形例がこのような構成を可能とする。第１の変形例において、図１１に示すように、ワークピースは第２の位置を通過し、第３の位置１１０８に在る。ワークピースが第１の位置１１０２および第２の位置１１０６に在る状態で第１の領域を撮像することによって導き出される位置決め情報は、外挿され、第３の位置でツール（図示せず）を第２の領域１１３４に位置合わせするために使用される。第２の変形例において、延在ワークピース（外形は示されていないが、図１１によって導き出され得る）は、第１の領域１１２８を第２の位置１１０６に有し、第２の領域１１３４を第３の位置１１０８に有する。第１の領域１１２８を第２の位置１１０６で撮像することによって導き出される位置決め情報は、外挿され、第３の位置でツール（図示せず）を第２の領域１１３４に位置合わせするために使用される。
【００７１】
位置合わせの第３の場合において、ワークピースの第２の領域１１２６は、第４の位置に在る。２つの変形例がこのような構成を可能とする。第１の変形例において、図１１に示すように、ワークピースは複数部品からなるワークピースとして考えられ、第４の位置１１０４に在るワークピースの一部は複数部品からなるワークピースの第２の物品として考えられ、第２の位置１１０６に在るワークピースの一部は複数部品からなるワークピースの第１の物品として考えられる。第２の位置１１０６に在るワークピースの第１の領域１１２８は、撮像され、複数部品からなるワークピースの第１の物品の第１の領域を第２の位置で撮像したものと考えられる。この撮像から導き出される位置決め情報は、内挿され、ワークピースが第４の位置１１０４に在る状態での第２の領域１１２６に対するツール（図示せず）の位置合わせに適用され、複数部品からなるワークピースの第２の物品の第２の領域１１２６に対する第４の位置での位置合わせとして考えられる。第２の変形例において、ワークピースは、延在ワークピース（外形は示されていないが、図１１によって導き出され得る）であり、位置合わせのために、第２の位置１１０６で撮像された第１の領域１１２８と、第４の位置１１０４に第２の領域１１２６とを有する。位置決め情報は、内挿され、第４の位置１１０４で第２の領域１１２６にツール（図示せず）を位置合わせする際に適用される。
【００７２】
図１２を参照すると、延在する、もしくは複数部品からなるワークピース１２０２は、第１の領域１２０８を有する第１の物品１２０６と第２の領域１２１０を有する第２の物品１２０４とを含む。延在する、もしくは複数部品からなるワークピース１２０２は、第１の位置１２１２に在る。第２の領域１２１０は、位置合わせシステム１００の変形例を使用したツール１２３６への位置合わせの対象である。
【００７３】
撮像システム１２３４は、第１の領域１２０８、第１の物品１２０６、および延在する、もしくは複数部品からなるワークピース１２０２が第１の位置１２１２に在る状態で、第１の撮像ユニット１２３０を使用し、第１の領域１２０８の第１の画像（図示せず）を取り込む。容易に考案される連続的な材料流れ搬送機構（図示せず）は、延在する、もしくは複数部品からなるワークピース１２０２を第１の位置１２１２から第２の位置１２１６に向けて通過して移動させる。撮像システム１２３４は、第１の領域１２４０および第１の物品１２２０が第２の位置１２１６に在り、第２の領域１２４２および第２の物品１２１８が第１の位置と第２の位置との間の第４の位置１２１４に在る状態で、第２の撮像ユニット１２３２を使用し、第２の位置１２１６で第１の領域１２４０の第２の画像（図示せず）を取り込む。位置決め情報および／または位置決めエラーは、上記のように第１および第２の画像の解析から導き出され、第４の位置１２１４での第２の領域１２４２に対するツール１２３６の位置合わせに適用される。位置決め情報および／または位置決めエラーの内挿法が適用される。位置合わせの変形例および他の場合において、第１の物品１２０６および第２の物品１２０４は分離され、示される配向とは逆にされ得る。また、領域がさらなる位置に在る状態でツールと領域とを位置合わせすることができ、また、複数部品からなるワークピースと関連付けた物品を有することなどができる。
【００７４】
図１３を参照すると、撮像システム１１０の変形例が示される。複数の撮像ユニット１３０２、１３０４、１３０６、および１３０８は、ワークピース１３１０のそれぞれの領域の画像に適用される。撮像ユニット１３０２、１３０４、１３０６、および１３０８は、直交配列に配置され、複数の撮像ユニットのうちの１つに相当する解像度を有する単一の撮像ユニットよりも正確な位置決め情報を生成することができる。
【００７５】
撮像システム１１０のさらなる変形例において、撮像ユニットは、複数の画像を時間順次に取り込む。撮像ユニットは、複数のレンズまたはミラーを用いて並行して複数の画像を取り込む。撮像システムは、ある位置に在る単一の撮像ユニットと他の位置に在る複数の撮像ユニットとを結合する。撮像ユニットは、１つ以上の位置に向けることができる。撮像ユニットは、非直交配列で配置される。撮像システム１１０は、１つ以上のストロボカメラを含むことができ、たとえば、第１のストロボカメラは第１の位置に向けられ、第２のストロボカメラは第２の位置に向けられる。ワークピースが特定の位置に在る状態でワークピースの画像を取り込むように２つ以上の撮像ユニットを配置することができる。
【００７６】
図１４を参照すると、ワークピース１４０６と位置合わせされたツールの例が示され、ツールはワークピース１４０６に対する処理を行う。ツールは、フォトリソグラフィ装置１４０２であり、位置合わせシステム１００もしくはその変形例を使用したワークピース１４０６との位置合わせに適している。パターンは、フォトリソグラフィ装置１４０２によってワークピース１４０６の領域１４３０に付加されている。パターンを、たとえばマスクもしくは空間光変調器を含むフォトリソグラフィ装置１４０２の投影光学系からワークピースに対して投影することができる。フォトリソグラフィ装置１４０２とワークピース１４０６とを位置合わせするために、ワークピース１４０６を再位置決めすることができ、または、フォトリソグラフィ装置１４０２を再位置決めすることができ、または、フォトリソグラフィ装置１４０２の特徴を調整することができ、またはこれらの組み合わせを適用することができる。ワークピース１４０６の再位置決めにおいて、ワークピース１４０６の横位置決めは、ワークピース１４０６を左右方向１４１０、前後方向１４１２、または回転方向１４１６に動かすことによって調整することができる。フォトリソグラフィ装置１４０２の再位置決めにおいて、フォトリソグラフィ装置１４０２の横位置決めは、左右方向１４１８、前後方向１４２０、もしくは回転方向にフォトリソグラフィ装置１４０２を動かすことによって調整することができる。または、フォトリソグラフィ装置１４０２の角度的な位置決めは、フォトリソグラフィ装置１４０２を側側傾斜方向１４２４もしくは前後傾斜方向１４２２に傾斜させることによって調整することができる。位置合わせを行うために調整されるフォトリソグラフィ装置１４０２の適切な特徴は、投影画像（投影画像は図示せず）の光路１４３２である。例として、光路１４３２は、レンズ１４０４もしくは他の光学要素を２つの直交する傾斜方向１４２８および１４２６に傾斜させることにより調整される。上記の調整および／または直交もしくは他の角度調整の組合せが考案されてもよい。ワークピース１４０６の位置決めおよびフォトリソグラフィ装置１４０２の位置決めのための他の技術、機構、角度などは、当業者によって考案され得る。ワークピースと位置合わせされる、もしくはワークピースに付加される投影画像および関連するパターンは、パターンが位置合わせされる領域より大きくても小さくてもよく、そのような領域に重複もしくは隣接させることができる。
【００７７】
図１４のフォトリソグラフィ装置１４０２の例が示すように、開示される位置合わせの方法、位置合わせシステム、フォトリソグラフィシステム、および変形例への適用において、ツール、ツールの特徴部、ワークピース、もしくはこれらの組み合わせは、考案され得る様々な方法により再位置決め、調整、移動、および照準させることができる。様々な搬送機構、ツール、取り付け部、組立体の集合、通信機構、微細および粗い位置決め機構などが適用可能である。
【００７８】
例として、フォトリソグラフィシステムにおいて、図１４のフォトリソグラフィ装置１４０２などにおける投影光学系、図１の搬送機構１０６、および制御部１２４を参照して記載されるマシンビジョンシステムは、協働して投影画像とワークピース１０２の領域１２６とを位置合わせする。
【００７９】
図１５Ａおよび図１５Ｂを参照すると、連続的な材料流れ１５０２の有無に関わらず実施され得る位置合わせの方法１５００が示される。方法１５００は、ワークピースが２つの位置の各々に在る状態で撮影されるワークピースの表面領域の微小な固有の特徴を伴う様々な処理を使用する。ツールと連動する、またはツールを含む、およびワークピースと連動する位置合わせシステムの様々な部材は、方法の様々な動作を行う。
【００８０】
連続的な材料流れ（１５０２）において、ワークピースは、連続的に（１５０４）第１の位置から（１５０６）第２の位置に向かって通過し（１５０８）、第３の位置へ移動する（１５１０）。ワークピースは、第２の位置で停止しない。変形例において、ワークピースは、第１の位置で停止する、もしくは停止せず、ワークピースは、第３の位置で停止する、もしくは停止しない。
【００８１】
対照的な例として、非連続的な材料流れ（図示せず）において、ワークピースは、第３の位置への途中の第２の位置で停止する。非連続的な材料流れのさらなる例において、ワークピースは、第２の位置への途中の第４の位置で停止する。
【００８２】
方法１５００によれば、ワークピースが第１の位置に在る（１５１２）第１の時期において、ワークピースの表面領域の微小な固有の特徴が撮像システムによって検知される（１５１４）。少なくとも１つの固有の特徴が選択される（１５１６）。
【００８３】
時間が経過した後、第２の時期において（１５１８）、選択された固有の特徴が撮像システムによって検知され（１５２０）、選択された固有の特徴が探知される（１５２２）。変形例において、第２の時期では、ワークピースは第１の位置または第２の位置に在ってもよい。
【００８４】
ワークピースへの位置合わせは、選択された固有の特徴の探知（１５２８）に基づいて（１５２６）、制御される（１５２４）。変形例においては、２つ以上の固有の特徴が選択および探知され、位置合わせは、選択された固有の特徴の探知に基づく。
【００８５】
ある変形例において、探知は、パターンマッチングを含む。第１の画像からの固有の特徴のパターンは、最良適合、最良マッチング、パターン認識、または他のアルゴリズムもしくは技術などのパターンマッチングを使用して、第２の画像においてマッチングされる。
【００８６】
ある変形例において、ワークピースへの位置合わせは、リソグラフィ装置において制御される。フォトリソグラフィ装置は、リソグラフィ装置の１種であり、ワークピースへの位置合わせのさらなる対象である。リソグラフィ装置は、ワークピースが第１の位置、第２の位置、第３の位置、または第４の位置に在り、位置合わせが上記のように制御される状態において、パターンをワークピースに付加することができる。露光画像は、ワークピースが上記の位置のうちの１つに在り、位置合わせの制御によって露光画像がワークピースと位置合わせされた状態で、フォトリソグラフィック装置によってワークピースに投影することができる。
【００８７】
ある変形例において、第２の時期におけるワークピースの予定される位置決めは、第２の時期において判定されたワークピースの位置決めと比較される。ワークピースに対する位置合わせを制御することにより、予定される位置決めと判定された位置決めとの間の差が補われる。予定される位置決めと判定された位置決めとの間の差は、位置決めエラーである。このため、ワークピースに対する位置合わせを制御することにより、位置決めエラーが補われる。予定される位置決め、判定された位置決め、および位置決めエラーは、位置決め情報の種類である。
【００８８】
ある変形例において、微小な固有の１つの特徴もしくは複数の特徴の探知に基づいて、ワークピースの歪みが判定される。固有の特徴をより多く探知することにより、ワークピースのより複雑な歪みの判定が可能となる。関連する変形例においては、ワークピースの位置合わせを制御することにより、ワークピースの歪みが補われる。
【００８９】
図１６Ａおよび図１６Ｂを参照すると、リソグラフィ装置における位置合わせの方法１６００が示される。方法１６００は、連続的な材料流れ（１６０２）の使用の有無に関わらず実施されてもよい。方法１６００は、図１５Ａに示される位置合わせの方法１５００の変形例であり、ワークピースとの正確な位置合わせに適したツールであるリソグラフィ装置に適用される。リソグラフィ装置は、印刷リソグラフィにおける印刷インクもしくはペイントパターン、またはフォトリソグラフィにおける露光パターンなどのパターンをワークピースに付加する。正確なリソグラフィのために、パターンはワークピースと位置合わせされるべきである。パターンが付加された後にワークピースを位置合わせしようとすると、ワークピースと正確に位置合わせされずにワークピースにパターンが付加されるため、パターンは、位置合わせの後にワークピースに付加される。
【００９０】
リソグラフィ装置の連続的な材料流れ（１６０２）において、ワークピースは、連続的に（１６０４）第１の位置から（１６０６）第２の位置を通って（１６０８）少なくとも第３の位置へ移動する（１６１０）。ワークピースは、第２の位置で停止しない。変形例において、ワークピースは、第１の位置において停止した状態から始まって移動し、または動いた状態から始まって移動し、第３の位置で停止する、または連続的に移動して第３の位置を通る。
【００９１】
方法１６００によれば、第１の時期において、撮像システムを使用して第１の拡大画像が取り込まれる（１６１６）。第１の画像について、ワークピースは第１の位置に在る（１６１２）。ワークピースの第１の領域の微小な固有の特徴は、第１の画像に取り込まれる。
【００９２】
第２の拡大画像は、第２の時期において（１６１８）、撮像システムを使用して取り込まれる（１６２０）。第２の画像について、変形例において、ワークピースは、第１の位置または第２の位置にあってもよい。ワークピースの第１の領域の微小な固有の特徴は、この第２の画像においてさらに取り込まれる。
【００９３】
第１および第２の画像で取り込まれた固有の特徴間の対応（１６２２）が判定される（１６２４）。
【００９４】
ワークピースの位置決め情報（１６２６）が判定される。位置決め情報は、第２の位置と関連したものであり、画像の分析において第１および第２の画像に取り込まれた固有の特徴の間で判定された対応を画像の分析において使用する。
【００９５】
ワークピースおよびツールは、位置決め情報に基づいて（１６３０）位置合わせされる（１６２８）。変形例において、たとえばリソグラフィ装置からのワークピースおよびパターンは、位置決め情報に基づいて位置合わせされる。
【００９６】
ある変形例において、第１および第２の画像の固有の特徴の対応の判定、および／または位置決め情報の判定は、画像に対してパターンマッチングを適用することを含む。パターンマッチングは、第１および第２の画像の両方に同じ固有の特徴が現れているかを判定するため、または第１の画像と比較して第２において同じ固有の特徴が移動しているかを判定するために、画像に適用される。
【００９７】
ある変形例において、第１の時期でワークピースの２つ以上の拡大画像が取り込まれ、第２の時期でワークピースの２つ以上の拡大画像が取り込まれる。
【００９８】
位置決めエラーは、変位エラー、回転エラー、ならびに／または縮尺変化もしくは他の歪み情報を含む。ある変形例において、ワークピースの位置決めエラーは、ワークピースの第１の微小な固有の特徴の第１の位置決めエラーと、第２の微小な固有の特徴の第２の位置決めエラーとを含む。
【００９９】
変形例において、リソグラフィ装置によるワークピースとワークピースに付加されるパターンとの位置合わせは、様々な方法により実現される。ワークピースの横位置決めは調整することができる。ワークピースにパターンを付加する投影光学ユニットを有するリソグラフィ装置において、露光のタイミングは、位置決めエラーを補うように調整することができる。ワークピースにパターンを付加する空間光変調器を有するフォトリソグラフィ装置においては、空間光変調器のデータセットを調整することにより、位置決めエラーを補うことができる。
【０１００】
空間光変調器のデータセットを調整することにより、位置決めエラーに示されるように、ワークピースの歪みをさらに補うことができる。例として、歪みマッピングは、判定された位置決めエラーに示される歪みに基づいている。歪みマッピングは、空間光変調器のデータを変更するために適用され、歪みマッピングデータを使用して空間光変調器によってワークピースに付加されたパターンが、ワークピースの歪みを補う。
【０１０１】
図１７および図１８を参照すると、ワークピースの第１および第２の画像を取り込む動作は、様々な搬送機構が隔離された状態、および期間と関連して示される。期間は、図１７中の時計の設定によって示される第１の時期１７０８と、図１８中の時計におけるさらなる設定によって示される第２の時期１８０８との間の時間の経過である。
【０１０２】
図１７において、撮像ユニット１７０６は、第１の時期１７０８において、ワークピース１７０２の領域１７０４の第１の画像を取り込んでいる。ワークピース１７０２は、第１の位置に在る。
【０１０３】
第１の画像が取り込まれた後、期間もしくは時間が経過する。第１の時期１７０８と第２の時期１８０８との間の期間において、ワークピース１７０２は第１の位置に残ってもよく、矢印１７１０が指すように第２、第３、もしくは第４の位置に移動されてもよく、矢印１７１２が指す第１の位置からさらなる処理のために貯蔵位置に移動され、矢印１７１４が指す第１の位置に戻されてもよい。第１の位置に残る、第１の位置に戻る、もしくはさらなる位置に移動するワークピース１７０２のこれらの様々な例は、様々なシステムおよび搬送機構に適用可能であり、位置合わせシステム１００、方法１５００、１６００、および変形例の柔軟性を示す。第１および第２の画像の取り込みの間の期間もしくは時間は、定められたシステムもしくは状況に応じて短くしてもよく、長くしてもよい。期間においてワークピースに追加の処理が発生するかどうか、および位置決めの変化もしくは歪みが発生するかどうかについても、定められたシステムもしくは状況に応じたものとなる。
【０１０４】
図１８において、第１の時期１７０８より後の第２の時期１８０８でワークピース１７０２の領域１７０４の第２の画像が取り込まれている。変形例において、第２の画像は、撮像ユニット１７０６によって、さらなる撮像ユニット１８１０によって、または１つ以上の撮像ユニットを有する撮像システムによって取り込まれる。撮像ユニット１７０６、１８１０、またはツール１８１２は、様々なシステムにおいて静止したもの、または移動可能なものとすることができる。変形例において、第２の画像は、ワークピースの手動搬送もしくはワークピースの搬送機構を伴うシステムにおいて、ワークピースが第１の位置に在る状態で、またはワークピースが第２の位置に在る状態で取り込まれる。
【０１０５】
図１９を参照すると、空間光変調器１９０２は、位置合わせシステム１００もしくはその変形例を使用するフォトリソグラフィシステムにおいて、ワークピース１９０４の位置決めエラーもしくは歪みを補うことができる。フォトリソグラフィ装置における投影光学系の一部とすることができる空間光変調器１９０２は、ワークピース１９０４の上に画像１９０６を投影する。パターンデータ１９０８は、位置決め情報１９１０を適用する制御部１９１４によって変更される。位置決め情報１９１０は、位置決めエラーおよび／または歪みマッピングを含むことができる。制御部１９１４からの変更されたパターンデータ１９１２は、制御部１９１４に提供される位置決め情報１９１０に基づいてワークピース１９０４の位置決めエラーおよび／または歪みを投影画像１９０６が修正するように、空間光変調器１９０２に送られる。さらなる例において、連続的な材料流れを使用するシステムについて、位置決め情報１９１０は、空間光変調器１９０２からの投影画像を計時することができるように、またはパターンデータを調整もしくは変更して移動するワークピースのタイミングをマッチングさせることができるように、タイミング情報を含むことができる。
【０１０６】
示されるように、位置合わせシステム１００、方法１５００、１６００、およびその変形例は、様々なワークピースまたは連続的もしくは非連続的な材料流れと併せて使用可能であり、少ない前処理ステップもしくは適用される材料、ならびに複数の前処理ステップもしくは適用される材料を伴うツールとワークピースとの位置合わせに適用可能である。位置合わせシステム、方法、および変形例は、位置合わせマスクからの事前に堆積した位置合わせレクチルパターンを有さない、または位置合わせレクチルパターンと連動して使用することができるワークピースに適用可能である。
【図１】
2014524038.tif 000003
【図２】
2014524038.tif 000004
【図３】
2014524038.tif 000005
【図４】
2014524038.tif 000006
【図５】
2014524038.tif 000007
【図６】
2014524038.tif 000008
【図７】
2014524038.tif 000009
【図８】
2014524038.tif 000010
【図９】
2014524038.tif 000011
【図１０】
2014524038.tif 000012
【図１１】
2014524038.tif 000013
【図１２】
2014524038.tif 000014
【図１３】
2014524038.tif 000015
【図１４】
2014524038.tif 000016
【図１７】
2014524038.tif 000017
【図１８】
2014524038.tif 000018
【図１９】
2014524038.tif 000019
【図１５Ａ】
2014524038.tif 000020
【図１５Ｂ】
2014524038.tif 000021
【図１６Ａ】
2014524038.tif 000022
【図１６Ｂ】
2014524038.tif 000023
【手続補正書】
【提出日】平成25年1月7日(2013.1.7)
【手続補正１】
【補正対象書類名】特許請求の範囲
【補正対象項目名】全文
【補正方法】変更
【補正の内容】
【特許請求の範囲】
【請求項１】
ツールを位置合わせする方法であって、前記方法は、
第１の撮像システムを使用して、移動するワークピースの第１の領域における複数の微小な固有の特徴の第１の拡大画像を第１の位置で取り込むステップを備え、前記方法はさらに、
第２の撮像システムを使用して前記移動するワークピースの同じ前記第１の領域における前記複数の微小な固有の特徴の第２の拡大画像を第２の位置で取り込むステップを備え、前記第１の拡大画像を取り込むステップと前記第２の拡大画像を取り込むステップとの間で期間が経過し、前記方法はさらに、
前記第１の画像において取り込まれた前記ワークピースの前記複数の微小な固有な特徴と前記第２の画像において取り込まれた前記ワークピースの前記複数の微小な固有の特徴との対応を判定するステップと、
前記第１の画像と前記第２の画像との前記対応を有する前記微小な固有の特徴を分析するための制御部を使用し、前記第１および第２の画像のそれぞれに関する前記移動するワークピースの位置決め情報を判定するステップと、
前記判定された位置決め情報に基づいて前記ワークピースと前記ツールとを位置合わせするステップとを備える、方法。
【請求項２】
前記位置決め情報は、前記第２の画像と関連した前記ワークピースの位置決めエラーを含む、請求項１に記載の方法。
【請求項３】
前記第２の画像は、前記第１の画像よりも小さい倍率を有する、請求項１に記載の方法。
【請求項４】
前記第２の画像は、前記第１の画像よりも大きい倍率を有する、請求項１に記載の方法。
【請求項５】
第１の時期において前記第１の画像を含む前記ワークピースの第１の複数の拡大画像を取り込むステップと、第２の時期において前記第２の画像を含む前記ワークピースの第２の複数の拡大画像を取り込むステップとをさらに備える、請求項１に記載の方法。
【請求項６】
前記位置決め情報は、変位エラー、回転エラー、および縮尺変化のうち少なくとも１つを含む、請求項１に記載の方法。
【請求項７】
前記ワークピースの前記位置決め情報は、前記ワークピースの前記複数の微小な固有の特徴のうちの第１の特徴の第１の位置決めエラーと、前記ワークピースの前記複数の微小な固有の特徴のうちの第２の特徴の第２の位置決めエラーとを少なくとも含む、請求項１に記載の方法。
【請求項８】
前記対応を判定するステップおよび前記位置決め情報を判定するステップのうち少なくとも１つは、前記第１の画像および前記第２の画像にパターンマッチングを適用するステップを含む、請求項１に記載の方法。
【請求項９】
搬送機構を使用して前記ワークピースを前記第１の位置から前記第２の位置に移動させるステップをさらに備える、請求項１に記載の方法。
【請求項１０】
連続的な材料流れを有する搬送機構を使用して前記ワークピースを前記第１の位置から前記第２の位置を通って少なくとも第３の位置に連続的に移動させるステップをさらに備える、請求項１に記載の方法。
【請求項１１】
前記ツールはリソグラフィ装置であり、前記ワークピースと前記ツールとを位置合わせするステップは、前記ワークピースと前記リソグラフィ装置によって前記ワークピースに付加されるパターンとを位置合わせするステップを含む、請求項１に記載の方法。
【請求項１２】
前記ワークピースは、前記第２の画像のために第２の位置に在り、
前記ワークピースは、前記パターンが前記ワークピースに付加される前記第２の位置に在る、請求項１１に記載の方法。
【請求項１３】
前記ワークピースの少なくとも一部は、前記ワークピースに前記パターンが付加される第３の位置に在り、前記ワークピースおよび前記パターンは、前記ワークピースの少なくとも一部が前記第２の画像のための前記第２の位置に在る状態で判定される前記位置決め情報の外挿法に基づいて位置合わせされる、請求項１１に記載の方法。
【請求項１４】
前記ワークピースは、前記第１の領域と第２の領域とを含み、
前記位置決め情報は、前記第２の画像のための第２の位置に前記第１の領域が在る状態で前記ワークピースの前記第１の領域に関して判定され、
前記位置決め情報の内挿法に基づき、前記パターンは、前記ワークピースの前記第２の領域に付加され、前記ワークピースの前記第２の領域は、前記第１の位置と前記第２の位置との中間の第４の位置に在る、請求項１１に記載の方法。
【請求項１５】
前記ワークピースは、前記第１の領域を有する第１の物品と、前記第２の領域を有する第２の物品とを含み、
前記位置決め情報は、前記第１の物品の前記第１の領域に関して判定され、
前記パターンは、前記第２の物品の前記第２の領域に付加される、請求項１４に記載の方法。
【請求項１６】
前記ワークピースと前記ワークピースに付加される前記パターンとを位置合わせするステップは、前記ワークピースの横位置決めを調整するステップを含む、請求項１１に記載の方法。
【請求項１７】
前記リソグラフィ装置は、前記ワークピースに前記パターンを付加する投影光学ユニットを有するフォトリソグラフィ装置であり、
前記ワークピースと前記パターンとを位置合わせするステップは、前記位置決め情報によって示される位置決めエラーを補うために前記投影光学ユニットを使用して露光の時期を調整するステップを含む、請求項１１に記載の方法。
【請求項１８】
前記リソグラフィ装置は、投影光学ユニットを有するフォトリソグラフィ装置であり、
前記ワークピースと前記ワークピースに付加される前記パターンとを位置合わせするステップは、前記光学ユニットの照準を調整するステップを含む、請求項１１に記載の方法。
【請求項１９】
前記リソグラフィ装置は、前記ワークピースに前記パターンを付加する空間光変調器を有するフォトリソグラフィ装置であり、
前記ワークピースと前記パターンとを位置合わせするステップは、前記位置決め情報によって示される位置決めエラーを補うために前記フォトリソグラフィ装置における前記空間光変調器のデータセットを調整するステップを含む、請求項１１に記載の方法。
【請求項２０】
前記位置決め情報は前記ワークピースの歪みを示し、
前記データセットを調整するステップは、前記ワークピースの前記歪みを補う、請求項１９に記載の方法。
【請求項２１】
位置合わせシステムであって、
ワークピースが第１の位置に在る間に前記ワークピースの領域の第１の画像を取り込み、その後に前記ワークピースが前記第２の位置に在る間に前記ワークピースの同じ前記領域の第２の画像を取り込むように第１および第２の位置に配置された第１および第２の撮像システムと、
前記第１の画像および前記第２の画像における前記ワークピースの特有の微視的に視認可能なテクスチャを比較し、そこから位置決め情報を生成するように構成されたパターン認識ユニットとを備え、
前記位置合わせシステムは、ツールと前記ワークピースとの位置合わせに前記位置決め情報を使用する、位置合わせシステム。
【請求項２２】
前記ワークピースは、前記第１の画像が取り込まれた後、および前記第２の画像が取り込まれる前に、追加の処理を受ける、請求項２１に記載の位置合わせシステム。
【請求項２３】
搬送機構をさらに備える、請求項２１に記載の位置合わせシステム。
【請求項２４】
前記搬送機構は、ロボット操作部を含む、請求項２３に記載の位置合わせシステム。
【請求項２５】
前記ワークピースを、前記搬送機構により、前記第１の位置から少なくとも前記第２の位置を通って連続的に移動させる、請求項２３に記載の位置合わせシステム。
【請求項２６】
前記ワークピースは、材料のウェブの一部であり、
前記材料のウェブは前記搬送機構によって移動する、請求項２３に記載の位置合わせシステム。
【請求項２７】
前記撮像システムは、前記第１の画像を取り込むために前記第１の位置に向けられる第１のストロボカメラと、前記第２の画像を取り込むために第２の位置に向けられる第２のストロボカメラとを含む、請求項２１に記載の位置合わせシステム。
【請求項２８】
前記ツールは、フォトリソグラフィ装置であり、パターンは、マスクもしくは空間光変調器から前記ワークピースに投影される、請求項２１に記載の位置合わせシステム。
【国際調査報告】
2014524038.tif 000024